(57)【特許請求の範囲】
【請求項１】
複数の拡散データを生成する生成手段を備えた送信装置であって、
前記拡散データの組み合わせと当該拡散データの組み合わせに基づいて生成される信号のマッピング位置とを関連付けて記録するためのパターンテーブルを備えた複数の送信信号マッピング手段から構成され、各送信信号マッピング手段が、それぞれ異なる拡散データの組み合わせを記録したパターンテーブルを備え、前記生成手段にて生成された複数の拡散データを入力として、自身が備えるパターンテーブルに記録された前記マッピング位置にマッピングされた信号を出力する送信信号マッピング手段群と、
外部から送信対象の拡散データの情報を取得し、前記各送信信号マッピング手段により出力された信号の中から、当該情報として得られる拡散データの組み合わせと同一の拡散データの組み合わせに基づいて生成された信号を、送信信号として選択する送信信号選択手段と、
を備えることを特徴とする送信装置。
【請求項２】
前記各送信信号マッピング手段は、
前記それぞれ異なる拡散データの組み合わせとして、前記複数の拡散データのうちの少なくとも１つの拡散データを送信する場合における拡散データの組み合わせ、の１つを記録したパターンテーブルを備え、
自身が備えるパターンテーブルに記録された拡散データの組み合わせに関連付けて記録される前記マッピング位置を、当該拡散データを多重した後に複素信号に変換した信号をマッピングした場合のマッピング位置とする、
ことを特徴とする請求項１に記載の送信装置。
【請求項３】
前記各送信信号マッピング手段は、
前記それぞれ異なる拡散データの組み合わせとして、拡散データごとに多重電力比が指定された拡散データの組み合わせ、の１つを記録したパターンテーブルを備え、
自身が備えるパターンテーブルに記録された拡散データの組み合わせに関連付けて記録される前記マッピング位置を、当該拡散データを指定された多重電力比で多重した後に複素信号に変換した信号をマッピングした場合のマッピング位置とする、
ことを特徴とする請求項１に記載の送信装置。
【請求項４】
前記送信対象の拡散データの情報として得られる拡散データの組み合わせが前記パターンテーブルにない多重電力比を所望するものであった場合、
前記送信信号選択手段は、
所望の多重電力比より大きくかつ所望の多重電力比に最も近い拡散データの組み合わせが記録されたパターンテーブルを備える送信信号マッピング手段から出力された信号と、所望の多重電力比より小さくかつ所望の多重電力比に最も近い拡散データの組み合わせが記録されたパターンテーブルを備える送信信号マッピング手段から出力された信号と、の２つの信号を選択し、
前記２つの信号を用いて補間処理を行うことにより、所望の多重電力比の信号を生成する、
ことを特徴とする請求項３に記載の送信装置。
【請求項５】
複数の拡散データを生成する生成手段を備えた送信装置における送信方法であって、
前記送信装置が、前記拡散データの組み合わせと当該拡散データの組み合わせに基づいて生成される信号のマッピング位置とを関連付けて記録するためのパターンテーブルを複数備え、それぞれが異なる拡散データの組み合わせを記録している場合に、
前記生成手段にて生成された複数の拡散データを入力として、各パターンテーブルに記録された前記マッピング位置にマッピングされた信号を出力する送信信号マッピングステップと、
外部から送信対象の拡散データの情報を取得し、前記送信信号マッピングステップにおいて出力された信号の中から、当該情報として得られる拡散データの組み合わせと同一の拡散データの組み合わせに基づいて生成された信号を、送信信号として選択する送信信号選択ステップと、
を含むことを特徴とする送信方法。
【請求項６】
前記各パターンテーブルには、
前記それぞれ異なる拡散データの組み合わせとして、前記複数の拡散データのうちの少なくとも１つの拡散データを送信する場合における拡散データの組み合わせ、の１つが記録され、
前記拡散データの組み合わせに関連付けて記録される前記マッピング位置として、当該拡散データを多重した後に複素信号に変換した信号をマッピングした場合のマッピング位置が記録される、
ことを特徴とする請求項５に記載の送信方法。
【請求項７】
前記各パターンテーブルには、
前記それぞれ異なる拡散データの組み合わせとして、拡散データごとに多重電力比が指定された拡散データの組み合わせ、の１つが記録され、
前記拡散データの組み合わせに関連付けて記録される前記マッピング位置として、当該拡散データを指定された多重電力比で多重した後に複素信号に変換した信号をマッピングした場合のマッピング位置が記録される、
ことを特徴とする請求項５に記載の送信方法。
【請求項８】
前記送信信号選択ステップにおいて取得した送信対象の拡散データの情報として得られる拡散データの組み合わせが前記パターンテーブルにない多重電力比を所望するものであった場合、
さらに、
前記送信信号マッピングステップにおいて出力された信号の中から、所望の多重電力比より大きくかつ所望の多重電力比に最も近い拡散データの組み合わせ、に関連付けてパターンテーブルに記録されているマッピング位置にマッピングされた信号を選択する第１の選択ステップと、
前記送信信号マッピングステップにおいて出力された信号の中から、所望の多重電力比より小さくかつ所望の多重電力比に最も近い拡散データの組み合わせ、に関連付けてパターンテーブルに記録されているマッピング位置にマッピングされた信号を選択する第２の選択ステップと、
前記第１の選択ステップおよび前記第２の選択ステップにおいて選択された２つの信号を用いて補間処理を行うことにより、所望の多重電力比の信号を生成する補間ステップと、
を含むことを特徴とする請求項７に記載の送信方法。
【発明の詳細な説明】
【技術分野】
【０００１】
本発明は、複数の拡散信号をマッピングして送信する送信装置に関する。
【背景技術】
【０００２】
従来から、送信装置が拡散処理後の信号を多重して送信し、受信装置において受信信号を逆拡散することによって元の信号を得る、通信システムがある。下記非特許文献１では、送信装置が多重化する信号を１つの決まった条件にて送信する場合において、受信装置における歪を最小にしつつ定包絡線にて送信する技術が開示されている。この技術は、例えば、測位信号などを送信する衛星の送信装置に利用することができる。
【先行技術文献】
【非特許文献】
【０００３】
【非特許文献１】P.A.Dafesh  C.R.Cahn  「Phase-Optimized  Constant-Envelop  Transmission  （POCET）  Modulation  Method  for  GNSS  Signals」（IONGNS  2009）
【発明の概要】
【発明が解決しようとする課題】
【０００４】
しかしながら、上記従来の技術によれば、実際に多重される信号は、運用途中での送信停止や、多重する際の電力比率の変更等の条件変更が行われる。このような条件変更が行われた場合は、送信装置が不適切な信号マッピングで信号を送信することになるため、受信装置において受信性能が劣化する、という問題があった。
【０００５】
本発明は、上記に鑑みてなされたものであって、多重する信号の一部を停止する場合または多重する信号の電力比率を変更する場合に、適切な信号マッピングを行うことが可能な送信装置を得ることを目的とする。
【課題を解決するための手段】
【０００６】
上述した課題を解決し、目的を達成するために、本発明は、複数の拡散データを生成する生成手段を備えた送信装置であって、前記拡散データの組み合わせと当該拡散データの組み合わせに基づいて生成される信号のマッピング位置とを関連付けて記録するためのパターンテーブルを備えた複数の送信信号マッピング手段から構成され、各送信信号マッピング手段が、それぞれ異なる拡散データの組み合わせを記録したパターンテーブルを備え、前記生成手段にて生成された複数の拡散データを入力として、自身が備えるパターンテーブルに記録された前記マッピング位置にマッピングされた信号を出力する送信信号マッピング手段群と、外部から送信対象の拡散データの情報を取得し、前記各送信信号マッピング手段により出力された信号の中から、当該情報として得られる拡散データの組み合わせと同一の拡散データの組み合わせに基づいて生成された信号を、送信信号として選択する送信信号選択手段と、を備えることを特徴とする。
【発明の効果】
【０００７】
本発明によれば、送信装置が多重する信号の一部を停止するまたは多重する信号の電力比率を変更する場合に、受信装置の受信性能を劣化させない、という効果を奏する。
【図面の簡単な説明】
【０００８】
【図１】図１は、送信装置の構成例を示す図である。
【図２】図２は、パターンテーブルにおける拡散データの組み合わせを示す図である。
【図３】図３は、パターンテーブルにおける拡散データの組み合わせおよび電力比を示す図である。
【図４】図４は、パターンテーブルの構成例を示す図である。
【図５】図５は、パターンテーブルの構成例を示す図である。
【図６】図６は、パターンテーブルの構成例を示す図である。
【図７】図７は、複素信号のマッピング状態を示す図である。
【図８】図８は、送信装置の送信処理を示すフローチャートである。
【図９】図９は、送信信号選択部の構成例を示す図である。
【図１０】図１０は、送信信号選択部の補間処理を示すフローチャートである。
【図１１】図１１は、入力した複素信号と補間処理後の複素信号を示す図である。
【発明を実施するための形態】
【０００９】
以下に、本発明にかかる送信装置の実施の形態を図面に基づいて詳細に説明する。なお、この実施の形態によりこの発明が限定されるものではない。
【００１０】
実施の形態１．
図１は、送信装置の構成例を示す図である。送信装置は、拡散データ生成部１−１〜１−Ｍ（自然数）と、多重化信号生成部２と、選択情報生成部３と、アナログ送信部４と、アンテナ５と、を備える。
【００１１】
拡散データ生成部１−１〜１−Ｍは、外部から取得したメッセージデータや固定の繰返しパターンのデータを拡散した拡散データを生成し、生成した拡散データを多重化信号生成部２へ送信する。なお、本実施の形態において送信する信号は「０」もしくは「１」とするが、これ以外の数値を出力してもよい。
【００１２】
多重化信号生成部２は、拡散データ生成部１−１〜１−ＭからＭ個の拡散データを入力して送信信号の候補を複数生成し、選択情報生成部３から入力した選択情報に基づいて出力する信号を選択して、定包絡のベースバンドの複素信号として出力する。
【００１３】
選択情報生成部３は、外部から取得した送信信号選択情報および送信信号電力情報に基づいて、多重化信号生成部２が出力する信号を選択するための選択情報を生成する。送信信号選択情報および送信信号電力情報は、外部から受け付けた送信条件であり、例えば、送信装置が衛星に搭載されている場合に、地球上から受け付けた送信条件である。なお、外部から送信信号選択情報および送信信号電力情報を受け付ける構成は一般的な受信手段であり、従来同等のため省略する。
【００１４】
アナログ送信部４は、多重化信号生成部２から出力されたベースバンドの複素信号をディジタル／アナログ変換処理後、アップコンバートしてアンテナ５へ出力する。アンテナ５は、アップコンバートされた信号を図示しない受信装置に向けて送信する。アナログ送信部４以降の処理は、従来同等の一般的なものである。
【００１５】
また、多重化信号生成部２は、送信信号マッピング部２１−１〜２１−Ｎ（自然数）と、送信信号選択部２２と、を備える。
【００１６】
送信信号マッピング部２１−１〜２１−Ｎは、それぞれが異なる拡散データの組合せ、または拡散データの組合せおよび多重化電力比を示すパターンテーブルを備えており、入力した拡散データに対応する信号を、当該パターンデーブルから引き出して出力する。なお、拡散データ生成部１−１〜１−Ｍで用いているＭと当該Ｎとの間に大小関係は無く、Ｍ＝Ｎであってもよい。一般的に、パターンテーブルの種類（組み合わせのバリエーション）を増やすと送信信号マッピング部の数も多くなるのでＮ＞Ｍとなる。
【００１７】
送信信号選択部２２は、選択情報生成部３から入力した選択情報に基づいて、送信信号マッピング部２１−１〜２１−Ｎから入力された信号の中から送信信号として出力する信号を選択する。
【００１８】
ここで、送信信号マッピング部２１−１〜２１−Ｎが備えるパターンテーブルについて説明する。例えば、拡散データ生成部１−１〜１−ＭにおいてＭ＝３の場合、拡散データの組合せのみを考慮した場合は、図２に示す４種類のパターンテーブルを用意することになる。図２は、送信信号マッピング部２１−１〜２１−４が備えるパターンテーブルにおける拡散データの組み合わせを示す図である。ここでは、送信信号マッピング部２１−１がパターンテーブル１を備え、送信信号マッピング部２１−２がパターンテーブル２を備えるように、送信信号マッピング部の符号の末尾とパターンテーブルの番号を合わせる。
【００１９】
例えば、パターンテーブル１は、拡散データ＃１：ＯＮ、拡散データ＃２：ＯＮ、拡散データ＃３：ＯＮの組み合わせであることを示す。拡散データを全て送信するまたは拡散データの１つをＯＦＦにするという制約がある場合には、Ｎ＝４となる。なお、図２は一例であり、２信号以上を多重することを制約とした場合のものであるが、更に多くの組合せについてのパターンテーブルを用意してもよい。
【００２０】
同様にＭ＝３の場合として、拡散データの組合せと多重する際の電力比を考慮する場合は、図３に示す６種類のテーブルを用意することになる。図３は、送信信号マッピング部２１−１〜２１−６が備えるパターンテーブルにおける拡散データの組み合わせおよび電力比を示す図である。一例として、電力比の変更範囲を０〜−５ｄＢとしている。同様に、送信信号マッピング部２１−１がパターンテーブル１を備え、送信信号マッピング部２１−２がパターンテーブル２を備えるように、送信信号マッピング部の符号の末尾とパターンテーブルの番号を合わせる。
【００２１】
例えば、パターンテーブル２は、拡散データ＃１の電力比：０ｄＢ、拡散データ＃２の電力比：−１ｄＢ、拡散データ＃３の電力比：０ｄＢの組み合わせであることを示す。なお、ここでは、一例として拡散データ＃２の電力比を−１ｄＢステップで変化させる場合について説明したが、これに限定するものではなく、拡散データ＃２および拡散データ＃３等の２つの拡散データの電力比を変化させてもよいし、変化するステップを０．５ｄＢステップなどにしてもよい。また、電力比の範囲を０〜−５ｄＢまでとしているが、一例であり、範囲を狭くする、または広くすることも可能である。
【００２２】
なお、送信信号マッピング部２１−１〜２１−Ｎが備えるパターンテーブルとして、拡散データの組合せのみを考慮した場合、または拡散データの組合せと多重する際の電力比を考慮する場合を別々に説明したが、両方のパターンテーブルを備えるようにしてもよい。いずれかの拡散データをＯＦＦにするまたは電力比を変更するという両方の変更に対応することができる。
【００２３】
つぎに、パターンテーブルの構成について説明する。図４は、パターンテーブルの構成例を示す図である。ここでは、Ｍ＝４として、拡散データの組合せにおいて、拡散データが全てＯＮの場合を示す。パターンテーブルは、拡散データ＃１〜＃４と、実数成分と、虚数成分と、から構成される。拡散データ＃１〜＃４は、各拡散データの信号値を示す。前述のとおり、信号値は「０」と「１」とする。実数成分と、虚数成分は、前記拡散データ＃１〜＃４の値によって得られる信号のマッピング位置を示す。パターンテーブルは、各拡散データ生成部１−１〜１−４から出力された信号「０」、「１」の２値の組み合わせと、その組み合わせの拡散信号を多重して複素信号に変換した信号をマッピングした場合におけるマッピング位置を示すものである。また、４つの拡散データ生成部１−１〜１−４からの出力の組み合わせとして２4＝１６通りの信号（複素信号）が出力されることを表している。マッピングされた信号の座標位置は、実数成分と虚数成分で示されており、いずれの複素信号も、同心円状に現れることを示す。
【００２４】
同様にＭ＝４として、２信号がＯＦＦの場合について説明する。図５は、パターンテーブルの構成例を示す図である。図４と同様の構成であるが、一例として、拡散データ＃２、＃４がＯＦＦとなっている点が異なる。ここでは、４つの拡散データ生成部１−１〜１−４のうち２つの出力の組み合わせとして２2＝４通りの信号（複素信号）が出力されることを表している。また、マッピングされた信号の座標位置は、実数成分と虚数成分で示されており、いずれの複素信号も、同心円状に現れることを示す。
【００２５】
なお、図５に示すようにＯＦＦが含まれる場合には、実際に現れる組み合わせの分だけをパターンテーブルに表示するようにしてもよい。図６は、パターンテーブルの構成例を示す図である。拡散データ＃１、＃３の組み合わせに基づいたものである。このように、ＯＮとなっている拡散データのみを対象とすることで、パターンテーブルの構成を簡素化することができる。
【００２６】
図４〜６に示すパターンテーブルを備える送信信号マッピング部から出力される複素信号のマッピング状態について説明する。図７は、複素信号のマッピング状態を示す図である。図４に示すパターンテーブルを備える送信信号マッピング部から出力される信号を白い丸で示し、図５、６に示すパターンテーブルを備える送信信号マッピング部から出力される信号を黒い四角で示す。図７に示すように、各パターンテーブルに基づいて送信される複素信号は、それぞれ同心円状に位置することになる。同心円の大きさは、パターンテーブル間では異なる大きさであってもよい。
【００２７】
なお、電力比を変更した場合の図３に対応するパターンテーブルについても、図４〜６と同等の構成となる。この場合、拡散データ＃１〜＃４の組み合わせについては図４等と同一であるが、電力比の変更度合いに応じて、実数成分および虚数成分の値が異なる。
【００２８】
このように、本実施の形態では、多重化信号生成部２において、送信信号マッピング部２１−１〜２１−Ｎが、各拡散データの状態に対応するパターンテーブルを備える。各拡散データの停止状態や電力比に基づいて、実際の送信条件に合致するパターンテーブルを備えた送信信号マッピング部から出力された複素信号を選択する。これにより、拡散データの一部を送信しない場合や多重する際の電力比に変更が生じた場合であっても、同心円状に配置される信号を送信信号として得ることができるため、受信装置における受信性能の劣化を回避することができる。
【００２９】
また、送信する複素信号を同心円状にマッピングすることで、常に定包絡線信号になるように送信することから、電力効率の良い送信を実現することができる。特に、衛星と地球上の通信装置との間で通信を行う場合、衛星から送信される信号は限られた電力にて送信する必要があるため、故障などにより一部の信号が停止、または運用方法の変更により送信していた信号の多重比率を変更した場合においても、適切な多重信号を送信できるため、受信装置側でも常に安定した受信を確保することができる。
【００３０】
つづいて、送信装置の送信処理をフローチャートに基づいて説明する。図８は、送信装置の送信処理を示すフローチャートである。ここでは、一例としてＭ＝４とした場合について説明する。
【００３１】
まず、拡散データ生成部１−１〜１−４が、それぞれ外部からのメッセージデータ等から拡散データを生成する（ステップＳ１）。そして、生成した拡散データを、各送信信号マッピング部２１−１〜２１−Ｎへ出力する。
【００３２】
つぎに、送信信号マッピング部２１−１〜２１−Ｎが、信号マッピングを行う（ステップＳ２）。具体的には、入力した拡散データに対応して出力するマッピング信号として、自身が備えるパターンテーブルから送信候補の信号であるマッピングされた複素信号を引き出す。そして、マッピングされた複素信号を送信信号選択部２２へ出力する。
【００３３】
ここで、選択情報選択部３は、外部から送信信号選択情報や送信信号電力情報を入力した場合に選択情報を生成する（ステップＳ３）。そして、生成した選択情報を送信信号選択部２２へ出力する。送信信号選択情報としては、例えば、拡散データ生成部１−１から入力した拡散データ＃１をＯＦＦにする、という内容である。また、送信信号電力情報としては、例えば、拡散データ生成部１−２から入力した拡散データ＃２の電力比を−２ｄＢとする、という内容である。
【００３４】
なお、送信信号選択情報および送信信号電力情報は、送信装置に何らかの異常があった場合等に送信方法を変更する際に利用することを想定し、通常送信中に選択情報生成部３が頻繁に選択情報を生成することはないが、これに限定するものではない。送信装置において送信方法に変更がない場合は、ステップＳ３の処理を省略してもよい。
【００３５】
つぎに、送信信号選択部２２は、選択情報生成部３から入力した選択情報に基づいて、送信信号マッピング部２１−１〜２１−Ｎから入力した複素信号の中から、送信信号として送信する複素信号を１つ選択する（ステップＳ４）。例えば、選択情報の内容が、拡散データ生成部１−１から入力した拡散データ＃１をＯＦＦにする、という内容であった場合、当該内容に合致したパターンテーブルを備える送信信号マッピング部から入力した複素信号を選択する。そして、選択した信号をアナログ送信部４へ出力する。
【００３６】
なお、選択情報生成部３が頻繁に選択情報を生成することを想定していないため、例えば、送信信号選択部２２は、選択情報生成部３から新たな選択情報を入力するまでは、先に入力した選択情報に基づいて同じ送信信号マッピング部からの複素信号を選択し続けるようにしてもよい。
【００３７】
その後、アナログ送信部４が、多重化信号生成部２の送信信号選択部２２から入力した複素信号を、アンテナ５を経由して送信する（ステップＳ５）。
【００３８】
以上説明したように、本実施の形態では、送信装置は、多重する信号の一部を停止または多重する電力比率を変更した場合に対して、適切なマッピングを行うためのパターンテーブルを備え、変更内容に合致したパターンテーブルに基づいてマッピングされた複素信号を選択し、送信することとした。これにより、多重する信号の一部を停止または多重する電力比率を変更した場合においても、受信装置側の受信性能の劣化を回避することができる。また、常に定包絡線信号に近づくように送信することにより、電力効率の良い送信を実現することができる。
【００３９】
実施の形態２．
本実施の形態では、拡散データを多重する際の電力比を変更する場合において、所望の電力比のパターンテーブルがないときの補間処理について説明する。実施の形態１と異なる部分について説明する。
【００４０】
図３では、ある拡散データの電力比を変更する場合、変化の大きさを−１ｄＢステップとしているが、運用上、電力比を−１．５ｄＢとすることも考えられる。この様に所望の電力比のパターンテーブルを備える送信信号マッピング部２１−１〜２１−Ｎが存在しない場合、所望の電力比のパターンテーブルに近い値を持つパターンテーブルを備える送信信号マッピング部からの出力を用いて、所望の電力比に対応した複素信号を求める。
【００４１】
図９は、送信信号選択部２２の構成例を示す図である。送信信号選択部２２は、選択部２２１−１，２２１−２と、選択補間情報生成部２２２と、補間部２２３と、電力調整部２２４と、帯域制限部２２５と、を備える。
【００４２】
選択部２２１−１，２２１−２は、選択補間情報生成部２２２から入力した選択情報に基づいて、送信信号マッピング部２１−１〜２１−Ｎから入力した複素信号の中から、所望の電力比に近い複素信号を選択する。
【００４３】
選択補間情報生成部２２２は、選択情報生成部３から入力した選択情報に基づいて、選択部２２１−１，２２１−２への複素信号選択情報、補間部２２３への電力情報、および電力調整部２２４への調整情報を生成して出力する。
【００４４】
補間部２２３は、選択補間情報生成部２２２から入力した電力情報に基づいて、選択部２２１−１，２２１−２から入力した複素信号点について補間処理を行い、補間処理によって得た複素信号を出力する。
【００４５】
電力調整部２２４は、補間処理によって得た複素信号に対して、選択補間情報生成部２２２から入力した調整情報に基づいて、電力レベルの調整を行う。
【００４６】
帯域制限部２２５は、所望の周波数帯域外の信号を抑えるための帯域制限処理を行う。なお、送信信号の所望の周波数帯域外送信レベルが十分に低い場合は、省略してもよい。
【００４７】
つづいて、送信信号選択部２２の補間処理をフローチャートに基づいて説明する。図１０は、送信信号選択部の補間処理を示すフローチャートである。ここでは、具体的に、拡散データ生成部１−１が出力する拡散データ＃１と、拡散データ生成部１−２が出力する拡散データ＃２を多重する際の所望の電力比が−１．５ｄＢの場合において、図３に示すような−１ｄＢステップで変化しているパターンテーブルを備える各送信信号マッピング２１−１〜２１−Ｎから出力される複素信号を用いて補間処理を行う。なお、送信信号選択部２２以外の構成については、実施の形態１と同様である。
【００４８】
まず、選択補間情報生成部２２２が、選択情報生成部３からの選択情報に基づいて、選択部２２１−１，２２１−２への複素信号選択情報、補間部２２３への電力情報、および電力調整部２２４への調整情報を生成する（ステップＳ１１）。ここでは、所望の電力比を−１．５ｄＢとしているため、選択補間情報生成部２２２は、選択部２２１−１に対して、拡散データ＃２を多重する際の電力比が−１ｄＢの複素信号を選択させる複素信号選択情報を出力する。また、選択部２２１−２に対して、拡散データ＃２を多重する際の電力比が−２ｄＢの複素信号を選択させる複素信号選択情報を出力する。そして、補間部２２３に対して、所望の電力比が−１．５ｄＢであることを示す電力情報を出力する。さらに、電力調整部２２４に対して、補間処理によって得た複素信号の電力レベルを調整するための調整情報を出力する。
【００４９】
つぎに、選択部２２１−１は、選択補間情報生成部２２２から入力した複素信号選択情報に基づいて、拡散データ＃１と拡散データ＃２を多重する際の電力比が−１ｄＢとなるパターンテーブル２を備えた送信信号マッピング部２１−２からの複素信号を選択し、補間部２２３へ出力する。すなわち、電力比率が−１．５ｄＢよりも大きい複素信号の中から最も近いものを選択して出力する（ステップＳ１２）。
【００５０】
同様に、選択部２２１−２は、選択補間情報生成部２２２から入力した複素信号選択情報に基づいて、拡散データ＃１と拡散データ＃２を多重する際の電力比が−２ｄＢとなるパターンテーブル３を備えた送信信号マッピング部２１−３からの複素信号を選択し、補間部２２３へ出力する。すなわち、電力比率が−１．５ｄＢよりも小さい複素信号の中から最も近いものを選択して出力する（ステップＳ１２）。
【００５１】
つぎに、補間部２２３は、選択補間情報生成部２２２から入力した電力情報に基づいて、選択部２２１−１，２２１−２から入力した複素信号を用いて補間処理を行う（ステップＳ１３）。図１１は、入力した複素信号と補間処理後の複素信号を示す図である。複素信号１１０１は選択部２２１−１から入力した複素信号、複素信号１１０２は選択部２２１−２から入力した複素信号、複素信号１１０３は補間処理後の複素信号を示す。例えば、補間部２２３は、複素信号１１０１と複素信号１１０２を結ぶ中央の点を補間結果として複素信号１１０３を得て電力調整部２２４へ出力する。なお、補間処理の方法はこれに限定するものではなく、正確な演算に基づいて内挿補間した点を補間後の複素信号としてもよい。
【００５２】
その後、電力調整部２２４が、選択補間情報生成部２２２から入力した調整情報に基づいて、補間後の複素信号の電力レベルの調整を行う（ステップＳ１４）。さらに、必要に応じて、帯域制限部２２５が、所望の周波数帯域外の信号を抑えるための帯域制限処理を行う（ステップＳ１５）。帯域制限部２２５は、帯域制限処理後の信号を送信信号選択部２２の出力としてアナログ送信部４へ出力する。なお、電力調整部２２４および帯域制限部２２５におけるそれぞれの処理を、アナログ送信部４で行うこととしてもよい。
【００５３】
このように、送信装置では、送信信号マッピング部２１−１〜２１−Ｎが所望の電力比に合致したパターンテーブルを備えていない場合においても、所望の電力比に近いパターンテーブルを備えた送信信号マッピング部から出力された複素信号を用いて補間処理を行うことにより、所望の電力比に対応した複素信号を得ることができる。
【００５４】
また、送信装置は、送信信号選択部２２が補間処理を行うことによって、多重化信号生成部が備える送信マッピング部２１−１〜２１−Ｎの数を減らすことができる。例えば、送信マッピング部２１−１〜２１−Ｎが備えるパターンテーブルにおいて、拡散データを多重する際の電力比のステップを−２ｄＢとした場合であっても、補間処理によって−１ｄＢステップと同等の複素信号を得ることができる。この場合、送信信号選択部２２における演算量は増えるが、送信マッピング部２１−１〜２１−Ｎの数を減らすことによって装置規模を小さくすることができる。
【００５５】
以上説明したように、本実施の形態では、複数の拡散データを多重する際、所望の電力比を示すパターンテーブルを備える送信信号マッピング部が存在しない場合、送信信号選択部が、２つの送信信号マッピング部からの複素信号を用いて補間処理を行い、所望の電力比となる複素信号を出力することとした。これにより、所望の精度のパターンテーブルを備えない場合においても、実際に存在するパターンテーブルに基づいて出力された複素信号を用いて、所望の電力比となる複素信号を得ることができる。また、実施の形態１と同等の精度を求める場合には、パターンテーブルを備える送信信号マッピング部の数を減らすことによって、装置規模を小さくすることができる。
【産業上の利用可能性】
【００５６】
以上のように、本発明にかかる送信装置は、拡散信号を用いた通信に有用であり、特に、拡散信号を多重して送信する場合に適している。
【符号の説明】
【００５７】
１−１，１−２，…，１−Ｍ  拡散データ生成部
２  多重化信号生成部
３  選択情報生成部
４  アナログ送信部
５  アンテナ
２１−１，２１−２，…，２１−Ｎ  送信信号マッピング部
２２  送信信号選択部
２２１−１，２２１−２  選択部
２２２  選択補間情報生成部
２２３  補間部
２２４  電力調整部
２２５  帯域制限部
【図１】
0005414613.tif 000002
【図２】
0005414613.tif 000003
【図３】
0005414613.tif 000004
【図４】
0005414613.tif 000005
【図５】
0005414613.tif 000006
【図６】
0005414613.tif 000007
【図７】
0005414613.tif 000008
【図８】
0005414613.tif 000009
【図９】
0005414613.tif 000010
【図１０】
0005414613.tif 000011
【図１１】
0005414613.tif 000012